(57)【要約】【課題】ボールが無回転又は少ない回転で飛ぶときの軌道のぶれを抑制しボールコントロール性を高める。【解決手段】表皮材１０が本体部１０ａと本体部１０ａの周縁部から芯部としてのチューブ２の側に突出する突出壁部１０ｂとを備え、突出壁部１０ｂがチューブ２の外周面に接触し、突出壁部１０ｂと本体部１０ａとチューブ２とで囲まれた空間部に流動体層４０が配置され、流動体層４０が袋４０ｂの内部に流動体４０ａを収容した構成である。流動体４０ａとしては空気等の気体、水、水よりも粘性の高いオイル等の等のうち、１つ又は複数を混ぜたものが適用可能である。【選択図】図１
2014012232.tif 000002
【特許請求の範囲】
【請求項１】
袋の内部に流動体を収容してなる流動体層が芯部と表皮材との間に設けられたことを特徴とするボール。
【請求項２】
表皮材が本体部と本体部の周縁部から芯部の側に突出する突出壁部とを備え、突出壁部と本体部と芯部とで囲まれた空間部に流動体層が配置されたことを特徴とする請求項１記載のボール。
【発明の詳細な説明】
【技術分野】
【０００１】
本発明は、例えば、球技等で使用されるボールに関する。
【背景技術】
【０００２】
従来より、例えば、サッカーボール等は、チューブからなる芯部と、芯部を覆うように設けられた複数の表皮パネルとを備えている（例えば、特許文献１参照）。各表皮パネルは、ボールの最外層を構成する樹脂製の表皮材と、表皮材の裏側に設けられた発泡材とを有している。発泡材は、ポリウレタンフォームで構成されている。
【０００３】
特許文献１には、表皮パネルの製造方法が開示されている。すなわち、まず、表皮材を予め成形しておき、この表皮材を発泡材成形用の成形型のキャビティ内に配置する。そして、そのキャビティにポリウレタンフォーム材料を注入する。この発泡材料は、キャビティ内で熱や圧力等の雰囲気環境によって化学変化を起こして発泡しながら膨張して表皮材と一体化し、これにより、表皮パネルが得られる。
【先行技術文献】
【特許文献】
【０００４】
【特許文献１】特開２００４−１７４２５６号公報
【発明の概要】
【発明が解決しようとする課題】
【０００５】
ところで、ボールにおいては、リバウンド性や、使用者によるコントロール性が重要視されており、これらを高いレベルで満足した商品が望まれている。
【０００６】
本発明は斯かる点に鑑みてなされたものであり、その目的とするところは、リバウンド性やコントロール性を高いレベルで満足した商品性の高いボールを提供することにある。
【課題を解決するための手段】
【０００７】
本発明は、袋の内部に流動体を収容してなる流動体層が芯部と表皮材との間に設けられたことを特徴とする。
【発明の効果】
【０００８】
本発明は、袋の内部に流動体を収容してなる流動体層が芯部と表皮材との間に設けられたので、袋の内部に収容される流動体の量を変更することで、ボールの特性を容易に変更することができる。本発明にあっては、表皮材が本体部と本体部の周縁部から芯部の側に突出する突出壁部とを備え、突出壁部と本体部と芯部とで囲まれた空間部に流動体層が配置されれば、流動体層の位置がずれない。
【図面の簡単な説明】
【０００９】
【図１】発明を実施するための形態１に係るボールの外観図。
【図２】図１の１０１−１０１線断面図
【発明を実施するための形態】
【００１０】
図１を参照し、発明を実施するための形態１に係るボール１について球技用を例示して説明する。ボール１は、複数枚の表皮パネル３とゴム製バルブ４とを備える。
【００１１】
発明を実施するための形態１では、表皮パネル３の枚数を１２枚としており、従って、各表皮パネル３の面積は、ボール１の総表面積の８％以上となっている。また、ボール１の直径は、１６ｃｍ以上２５ｃｍ以下に設定されている。尚、表皮パネル３の数やボール１の直径は、上記に限られるものではない。
【００１２】
図２を参照し、発明を実施するための形態１に係るボール１の内部構造について説明する。ボール１は、芯部としてのチューブ２と、該チューブ２の外周面を覆う表皮を構成する複数枚の表皮パネル３とを備える。
【００１３】
チューブ２は、例えば、ブチルゴム又はラテックスゴム等の空気非透過性を有する弾性材料で構成され、図１に示すゴム製バルブ４を有する。バルブ４は、表皮パネル３を貫通してボール１の外面に露出する。バルブ４のボール１の外面に露出する部分からチューブ２の内部に圧縮空気が注入されるようになっている。
【００１４】
チューブ２の外周面には、補強層５が密着して設けられる。補強層５は、チューブ２に接着された布や糸で構成される。尚、補強層５は省略してもよいし、布や糸以外の部材で構成してもよい。
【００１５】
表皮パネル３は、全体として、チューブ２の外周面形状に沿うように湾曲した形状をなしている。表皮パネル３は、ボール１の最外層を構成する表皮材１０と、表皮材１０の裏側に設けられた流動体層４０とかなる２層構造となっている。
【００１６】
つまり、ボール１は、チューブ２と、チューブ２の外側に設けられた流動体層４０と、流動体層４０の外側に設けられた表皮材１０とを備えた構造となっている。
【００１７】
流動体層４０は、袋４０ｂの内部に流動体４０ａを収容した構成である。流動体４０ａとしては、例えば、空気等の気体、水、水よりも粘性の高いオイル等のうち、１つ又は複数を混ぜたものが挙げられる。
【００１８】
袋４０ｂは、衝撃によって破れないような樹脂材料で構成されている。この樹脂材料としては、例えば、ポリプロピレンが挙げられるが、これに限定されるものではない。
【００１９】
流動体４０ａが空気である場合には、袋の内部に収容される空気の量を調整して、袋４０ｂ内の空気圧を調整することにより、ボール１のリバウンド性やコントロール性等の特性を容易に変更することができる。
【００２０】
また、流動体４０ａを変更することによっても、ボール１の特性を容易に変更することができる。袋４０ｂ内には、空気以外の気体を収容するようにしてもよい。
【００２１】
図３を参照し、表皮材１０について説明する。表皮材１０は、例えば、ポリウレタン、ポリカーボネート、ポリプロピレン、ポリアミド、ポリ塩化ビニル等の樹脂材を射出成形してなる射出成形品である。
【００２２】
表皮材１０は、湾曲した板状の本体部１０ａと、本体部１０ａの周縁部から裏側（チューブ２側）へ向けて突出する突出壁部１０ｂとが一体化されてなる。突出壁部１０ｂの突出方向先端部は、チューブ２の補強層５に接している。
【００２３】
本体部１０ａの厚みは、その全体に亘って同じになっており、例えば、０．０１ｍｍ〜３．００ｍｍの範囲で設定されている。突出壁部１０ｂは、表皮材１０の全周に亘って連続した環状をなしている。突出壁部１０ｂの厚みは、本体部１０ａの厚みと同じに設定されている。
【００２４】
尚、本体部１０ａと突出壁部１０ｂとは、同じ樹脂材料で形成してもよいし、異なる樹脂材料で形成してもよい。異なる樹脂材料で形成する場合には、突出壁部１０ｂを形成する樹脂材料の方を柔らかくするのが好ましい。こうすることにより、突出壁部１０ｂの剛性が低下して、ボール１の硬さを全体に亘って均一に近づけることが可能になる。
【００２５】
また、表皮材１０をチューブ２の外形状に沿う高精度な湾曲形状に成形すれば、チューブ２と一体化する際に表皮材１０の変形を殆ど無くすことができる。これにより、表皮材１０の変形によってボール１の表面部分に生じる応力を低減でき、ボール１のリバウンド性や扱い易さをより一層向上させることができる。
【００２６】
発明を実施するための形態１では表皮材１０が単層構造である場合について説明したが、表皮材１０は、多層構造であってもよい。
【００２７】
また、表皮材１０が透光性のある樹脂材料で形成されてもよい。これにより、図２における流動体層４０の色がボール１の表面から透けて見えるようになり、ボール１を、深みのあるデザインとすることができる。
【００２８】
表皮材１０を有色の透明にすることで、流動体層４０の色と表皮材１０の色とが混ざって見えることになり、デザインの自由度が向上する。
【００２９】
透光性を有する表皮材１０に印刷を施す場合には、流動体層４０の色を利用することで、その印刷色を減らすことが可能になる。
【００３０】
表皮材１０を無色透明とすることで、シースルーデザインのボール１を得ることができる。
【００３１】
表皮材１０の色を、多色が不完全に混ざったようなマーブル模様にしてもよいし、流動体層４０の色を同様なマーブル模様にしてもよい。
【００３２】
表皮材１１を形成する樹脂材や流動体層４０の材料には、蓄光材や、光を反射する反射材、蛍光材等を混ぜてもよい。
【００３３】
また、上記実施形態１、２では、ボール１の表皮材１０が五角形や六角形の場合について説明したが、これに限らず、表皮材１０の形状は、任意に設定することができる。例えば、表皮材１０を半球状にして２枚を合わせるようにしてもよいし、球を１／４や１／５にした形状にしてこれらを複数枚合わせるようにしてもよい。
【００３４】
発明を実施するための形態１では表皮材１０が湾曲した形状である場合について説明したが、この表皮材１０は、平板形状であってもよい。同様に、流動体層４０も平板形状であってもよい。
【００３５】
表皮材１０には、パッド印刷、スクリーン印刷、インクジェット印刷によって印刷層を形成するようにしてもよい。この場合、印刷層は、表皮材１０の一部に形成してもよいし、全面に形成してもよい。
【００３６】
ボール１としては、サッカーボール、フットサルボール、ハンドボール、バスケットボール、バレーボール等の球技用のボールの他、玩具用のボールに適用することも可能である。
【００３７】
芯部をチューブ２で構成したが、芯部は、中空構造のもの以外にも、スポンジやゲル等からなる中実構造のものであってもよい。また、また、芯部の形状は、球形以外にも、例えばラグビーボールのような形状であってもよい。また、芯部は、多層構造であってもよい。
【符号の説明】
【００３８】
１はボール、２はチューブ（芯部）、１０は表皮材、４０は流動体層、４０ａは流動体、４０ｂは袋。
【図１】
2014012232.tif 000003
【図２】
2014012232.tif 000004